Podtech/llm-jp-corpus-v4-ja_patent huggingface dataset:
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により予め決められた複数の当選役及びハズレ役の中からいずれかを選び出す内部抽選を行うとともに、複数の前記可動表示体の変動を開始させ、全ての前記可動表示体の停止操作が受け付けられると、前記図柄表示部に１回のゲームの結果を表示する遊技機であって、
前記始動操作を受け付ける始動操作部と、
前記始動操作部に併設して設けられ前記複数の可動表示体それぞれに対応して、その変動を個々に停止させる操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部に表示される所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
を備え、
前記複数の当選役には、
所定期間にて遊技価値の付与される機会を増加させた特別遊技状態に遊技状態を移行させる契機となる特別当選役と、
当該ゲームにて遊技価値の付与を伴う特典に対応する第１付与役、及び、該第１付与役に比べて付与される遊技価値の総数の少ない特典に対応する第２付与役のいずれをも強制的に選び出す強制当選遊技状態に移行させる契機となる強制当選遊技役とが少なくとも含まれており、
さらに、
前記表示図柄判定手段により当該図柄の組み合わせが前記特別当選役に対応する図柄の組み合わせであると判定された場合、遊技機の外部に向けた告知をするとともに前記特別遊技状態を開始させる特別遊技状態開始手段と、
前記表示図柄判定手段により当該図柄の組み合わせが前記強制当選遊技役図柄の組み合わせであると判定された場合、遊技機の外部に向けた告知を行うことなく所定の期間だけ前記強制当選遊技状態を継続させる強制当選遊技状態継続手段と、
所定期間に消費される遊技価値の総数の多い通常遊技状態に比べて、前記消費される遊技価値の総数の少ない有利遊技状態にてゲームの進行を制御する有利遊技状態制御手段と、
前記強制当選遊技状態の終了を契機として前記内部抽選の結果として前記特別当選役が選び出されるまで前記有利遊技状態制御手段による遊技状態の制御を継続させる有利遊技状態継続手段と、
を備えることを特徴とする遊技機。
【請求項２】
前記複数の当選役には、改めて遊技価値を掛けることなく当該ゲームの掛け数が次回のゲームに持ち越される再遊技役がさらに含まれており、
前記再遊技役に対応する図柄の組み合わせ態様が前記図柄表示部内に表示されたことが前記表示図柄判定手段により判定されると、当該ゲームの掛け数を次回のゲームに持ち越して改めて遊技価値を掛けることなく次回のゲームを実行可能にする再遊技実行手段をさらに備える
請求項１に記載の遊技機。
【請求項３】
前記可動表示体停止制御手段は、前記強制当選遊技状態では前記第２付与役に優先して前記第１付与役に対応する図柄の組み合わせが前記有効表示位置に表示されるべく前記可動表示体の停止を制御する第１付与役図柄優先停止制御手段をさらに備える
請求項１または２に記載の遊技機。
【手続補正２】
【補正対象書類名】明細書
【補正対象項目名】０００７
【補正方法】変更
【補正の内容】
【０００７】
（解決手段１）
解決手段１は、
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により予め決められた複数の当選役及びハズレ役の中からいずれかを選び出す内部抽選を行うとともに、複数の前記可動表示体の変動を開始させ、全ての前記可動表示体の停止操作が受け付けられると、前記図柄表示部に１回のゲームの結果を表示する遊技機であって、
前記始動操作を受け付ける始動操作部と、
前記始動操作部に併設して設けられ前記複数の可動表示体それぞれに対応して、その変動を個々に停止させる操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部に表示される所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
を備え、
前記複数の当選役には、
所定期間にて遊技価値の付与される機会を増加させた特別遊技状態に遊技状態を移行させる契機となる特別当選役と、
当該ゲームにて遊技価値の付与を伴う特典に対応する第１付与役、及び、該第１付与役に比べて付与される遊技価値の総数の少ない特典に対応する第２付与役のいずれをも強制的に選び出す強制当選遊技状態に移行させる契機となる強制当選遊技役とが少なくとも含まれており、
さらに、
前記表示図柄判定手段により当該図柄の組み合わせが前記特別当選役に対応する図柄の組み合わせであると判定された場合、遊技機の外部に向けた告知をするとともに前記特別遊技状態を開始させる特別遊技状態開始手段と、
前記表示図柄判定手段により当該図柄の組み合わせが前記強制当選遊技役図柄の組み合わせであると判定された場合、遊技機の外部に向けた告知を行うことなく所定の期間だけ前記強制当選遊技状態を継続させる強制当選遊技状態継続手段と、
所定期間に消費される遊技価値の総数の多い通常遊技状態に比べて、前記消費される遊技価値の総数の少ない有利遊技状態にてゲームの進行を制御する有利遊技状態制御手段と、
前記強制当選遊技状態の終了を契機として前記内部抽選の結果として前記特別当選役が選び出されるまで前記有利遊技状態制御手段による遊技状態の制御を継続させる有利遊技状態継続手段と、
を備えることを特徴とする遊技機である。
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により予め決められた複数の当選役及びハズレ役の中からいずれかを選び出す内部抽選を行うとともに、複数の前記可動表示体の変動を開始させ、全ての前記可動表示体の停止操作が受け付けられると、前記図柄表示部に１回のゲームの結果を表示する遊技機であって、
前記始動操作を受け付ける始動操作部と、
前記始動操作部に併設して設けられ前記複数の可動表示体それぞれに対応して、その変動を個々に停止させる操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部に表示される所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
を備え、
前記複数の当選役には、当該ゲームにて遊技価値の付与を伴う特典に対応する当選役として、第１付与役及び第２付与役が含まれており、
前記第１付与役には、前記停止操作部のうち前記始動操作部から最も遠い位置に配された最遠停止操作部に対応する最遠可動表示体の図柄帯上に一定範囲内の間隔で配置された一の図柄を一個だけ含む第１付与役図柄組み合わせが対応付けられるとともに、
前記第２付与役には、前記最遠可動表示体を含む全ての可動表示体の図柄帯上に一定範囲内の間隔で配置された２の図柄を全て含む第２付与役図柄組み合わせが対応付けられており、
前記可動表示体停止制御手段は、
前記内部抽選の結果として前記第１付与役が選び出された状態で前記停止操作が受け付けられると、前記一の図柄を前記有効表示位置にまで移動させて停止させる一図柄移動停止制御手段と、
前記内部抽選の結果として前記第２付与役が選び出された状態で前記停止操作が受け付けられると、前記２の図柄を前記有効表示位置にまで移動させて停止させる２図柄移動停止制御手段とを有し、
さらに、前記表示図柄判定手段により当該図柄の組み合わせが前記第１付与役図柄組み合わせであると判定された場合、１回のゲームの結果として付与される遊技価値の最大数を付与する最大遊技価値付与手段を備える
ことを特徴とする遊技機。
【請求項２】
前記表示図柄判定手段により当該図柄の組み合わせが前記第２付与役図柄組み合わせであると判定された場合、１回のゲームの結果として付与される遊技価値の最大数に満たない数を付与する最大未満遊技価値付与手段をさらに備える
請求項１に記載の遊技機。
【請求項３】
前記図柄表示部に表示される所定個数分の図柄群を任意の前記可動表示体について見て前記図柄群をなす個々の図柄の表示される位置のうち、最も下段に図柄が表示される位置を最下段位置とした場合、前記有効表示位置決定手段は、最遠可動表示体については前記最下段位置のみを選び出してできる限定組み合わせを前記有効表示位置として決定する最下段位置限定決定手段を有する
請求項１または２に記載の遊技機。
【手続補正２】
【補正対象書類名】明細書
【補正対象項目名】０００８
【補正方法】変更
【補正の内容】
【０００８】
（解決手段１）
解決手段１は、
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により予め決められた複数の当選役及びハズレ役の中からいずれかを選び出す内部抽選を行うとともに、複数の前記可動表示体の変動を開始させ、全ての前記可動表示体の停止操作が受け付けられると、前記図柄表示部に１回のゲームの結果を表示する遊技機であって、
前記始動操作を受け付ける始動操作部と、
前記始動操作部に併設して設けられ前記複数の可動表示体それぞれに対応して、その変動を個々に停止させる操作を受け付けることの可能な複数の停止操作部と、
前記複数の停止操作部にて停止操作が受けられると、前記停止操作の受け付けられた当該可動表示体ごとに前記内部抽選の結果に基づいて前記可動表示体の変動停止を制御する可動表示体停止制御手段と、
前記図柄表示部に表示される所定個数分の図柄群を複数の前記可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段と、
を備え、
前記複数の当選役には、当該ゲームにて遊技価値の付与を伴う特典に対応する当選役として、第１付与役及び第２付与役が含まれており、
前記第１付与役には、前記停止操作部のうち前記始動操作部から最も遠い位置に配された最遠停止操作部に対応する最遠可動表示体の図柄帯上に一定範囲内の間隔で配置された一の図柄を一個だけ含む第１付与役図柄組み合わせが対応付けられるとともに、
前記第２付与役には、前記最遠可動表示体を含む全ての可動表示体の図柄帯上に一定範囲内の間隔で配置された２の図柄を全て含む第２付与役図柄組み合わせが対応付けられており、
前記可動表示体停止制御手段は、
前記内部抽選の結果として前記第１付与役が選び出された状態で前記停止操作が受け付けられると、前記一の図柄を前記有効表示位置にまで移動させて停止させる一図柄移動停止制御手段と、
前記内部抽選の結果として前記第２付与役が選び出された状態で前記停止操作が受け付けられると、前記２の図柄を前記有効表示位置にまで移動させて停止させる２図柄移動停止制御手段とを有し、
さらに、前記表示図柄判定手段により当該図柄の組み合わせが前記第１付与役図柄組み合わせであると判定された場合、１回のゲームの結果として付与される遊技価値の最大数を付与する最大遊技価値付与手段を備える
ことを特徴とする遊技機である。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、
前記遊技領域に向けて打ち込まれた遊技球を受け入れ困難な閉状態と当該閉状態よりも遊技球を受け入れ容易な開状態との間で動作可能な開閉装置と、
前記遊技領域に設けられる受入口と、
前記受入口への遊技球の入球があったか否かの判断を行う始動判断手段と、
前記始動判断手段により前記受入口への遊技球の入球があった旨判断されることに基づき、第１の大賞当たりと第２の大賞当たりとを当選種別に含む大当たりについての抽選処理を所定の当選確率にて実行可能な抽選手段と、
前記第１の大賞当たり及び前記第２の大賞当たりのいずれかが当選されたとき、前記開閉装置の動作によって当該開閉装置内への遊技球の受け入れを容易化させることで遊技者に賞球を得る機会を提供する大賞当たり遊技を行う大賞遊技実行手段と、
前記第１の大賞当たりが当選されたときは、当該当たりに応じた前記大賞当たり遊技が行われた後、前記所定の当選確率が第１確率に設定される低確遊技状態に制御する一方で、前記第２の大賞当たりが当選されたときは、当該当たりに応じた前記大賞当たり遊技が行われた後、前記所定の当選確率が前記第１確率よりも高い第２確率に設定される高確遊技状態に制御する遊技状態制御手段と、
前記第１の大賞当たりと前記第２の大賞当たりとのいずれかが当選されたとき、所定の表示画面に表示される複数図柄が特定の組み合わせとなって現れる表示演出制御を行う表示演出制御手段と、を備え、
前記表示演出制御手段は、前記第１の大賞当たりが当選されたことを示唆するときと前記第２の大賞当たりが当選されたことを示唆するときとで、前記特定の組み合わせとなって前記所定の表示画面に現れる前記複数図柄の配色を異ならしめる遊技機であって、
前記大当たりは、前記大賞当たり遊技が行われる契機となる前記第１の大賞当たり及び前記第２の大賞当たりのほか、前記大賞当たり遊技が行われる契機とならない小賞当たりも当選種別に含むものであり、
前記遊技状態制御手段は、
前記第１の大賞当たりが当選されたことに応じて前記開閉装置内への遊技球の受け入れが容易となる態様で前記開閉装置が動作される前記大賞当たり遊技が行われた後だけでなく、前記小賞当たりが当選されたことに応じて前記開閉装置内への遊技球の受け入れが前記大賞当たりが当選されたときよりも困難な態様で前記開閉装置が動作した後も、前記所定の当選確率が第１確率に設定される前記低確遊技状態に制御するものであり、
前記表示演出制御手段は、
前記複数図柄が前記特定の組み合わせとなって現れるとしたときのそれら複数図柄の配色が示唆されるようにリーチ演出を行う高期待演出手段、及び
前記高確遊技状態に制御されている期間中に前記抽選手段により前記抽選処理が行われたとき、前記大賞当たり遊技が行われないにもかかわらず前記高確遊技状態が終了してしまう可能性のあることが示唆される警告演出を行う状態終了警告手段、及び
前記大賞当たり遊技が行われることなく前記高確遊技状態から前記低確遊技状態に状態移行されたことが示唆される終了演出を行う状態終了演出手段を有し、
前記状態終了演出手段による終了演出の実行に際しては、前記高期待演出手段によるリーチ演出と前記状態終了警告手段による警告演出とを同時実行するとともに、該同時実行されるリーチ演出においては、前記小賞当たりに当選されているにもかかわらず、前記抽選処理にて落選されたことが示唆されるかたちで前記複数図柄を停止表示させるようにした
ことを特徴とする遊技機。
【請求項２】
請求項１に記載の遊技機において、
遊技者が操作可能な操作ハンドルがさらに設けられてなり、該操作ハンドルの操作に応じて前記遊技領域に遊技球が打ち込まれる遊技機。
【請求項３】
前記抽選手段は、
前記始動判断手段により前記受入口への遊技球の入球があった旨判断されたときに乱数を取得し、この取得した乱数に基づいて大当たりについての抽選処理を実行するものである
請求項１または２に記載の遊技機。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、
前記遊技領域に向けて打ち込まれた遊技球を受け入れ困難な閉状態と当該閉状態よりも遊技球を受け入れ容易な開状態との間で動作可能な開閉装置と、
前記遊技領域を流下する遊技球が受け入れられる第１受入口と、
前記第１受入口への遊技球の入球があったか否かの判断を行う第１始動判断手段と、
前記第１始動判断手段により前記第１受入口への遊技球の入球があった旨判断されることに基づき、第１の大賞当たりと第２の大賞当たりとを当選種別に含む大当たりについての第１抽選処理を所定の当選確率にて実行可能な抽選手段と、
前記第１の大賞当たり及び前記第２の大賞当たりのいずれかが当選されたとき、前記開閉装置の動作によって当該開閉装置内への遊技球の受け入れを容易化させることで遊技者に賞球を得る機会を提供する大賞当たり遊技を行う大賞遊技実行手段と、
前記第１の大賞当たりが当選されたときは、当該当たりに応じた前記大賞当たり遊技が行われた後、前記所定の当選確率が第１確率に設定される低確遊技状態に制御する一方で、前記第２の大賞当たりが当選されたときは、当該当たりに応じた前記大賞当たり遊技が行われた後、前記所定の当選確率が前記第１確率よりも高い第２確率に設定される高確遊技状態に制御する遊技状態制御手段と、
前記第１の大賞当たりと前記第２の大賞当たりとのいずれかが当選されたとき、所定の表示画面に表示される複数図柄が特定の組み合わせとなって現れる表示演出制御を行う表示演出制御手段と、を備え、
前記表示演出制御手段は、前記第１の大賞当たりが当選されたことを示唆するときと前記第２の大賞当たりが当選されたことを示唆するときとで、前記特定の組み合わせとなって前記所定の表示画面に現れる前記複数図柄の配色を異ならしめる遊技機であって、
前記遊技領域を流下する遊技球を常に受け入れ可能な開口部をもって設けられた第２受入口と、
前記第２受入口への遊技球の入球があったか否かの判断を行う第２始動判断手段と、を備え、
前記抽選手段は、
前記大賞当たり遊技が行われる契機となる当たりのほか、前記大賞当たり遊技が行われる契機とならない小賞当たりも当選種別に含む大当たりについての第２抽選処理を所定の当選確率にて実行する特別抽選手段を有し、
前記第２始動判断手段により前記第２受入口への遊技球の入球があった旨判断されたときは、前記第１始動判断手段により前記第１受入口への遊技球の入球があった旨判断されたときとは異なり、前記特別抽選手段によって前記大当たりについての第２抽選処理を行うものであり、
前記遊技状態制御手段は、
前記第１の大賞当たりが当選されたことに応じて前記開閉装置内への遊技球の受け入れが容易となる態様で前記開閉装置が動作される前記大賞当たり遊技が行われた後だけでなく、前記小賞当たりが当選されたことに応じて前記開閉装置内への遊技球の受け入れが前記大賞当たりが当選されたときよりも困難な態様で前記開閉装置が動作した後も、前記所定の当選確率が第１確率に設定される前記低確遊技状態に制御するものであって、
当該遊技機は、
前記遊技領域を流下する遊技球が前記第１受入口に入球困難な閉状態と当該閉状態よりも遊技球が前記第１受入口に入球容易な開状態との間で動作可能な可動部材と、
前記低確遊技状態に制御されているときは、遊技球を常に受け入れ可能な開口部をもった前記第２受入口よりも前記第１受入口のほうが遊技球の入球確率が低くなるように前記可動部材の動作頻度にかかる設定制御を行うとともに、前記高確遊技状態に制御されているときは、遊技球を常に受け入れ可能な開口部をもった前記第２受入口よりも前記第１受入口のほうが遊技球の入球確率が高くなるように前記可動部材の動作頻度にかかる設定を行う可動制御手段と、をさらに備え、
前記高確遊技状態に制御されているときには、前記可動制御手段による前記可動部材の動作頻度にかかる設定制御態様を通じて、前記小賞当たりの当選によって前記大賞当たり遊技が行われることなく前記低確遊技状態に移行制御されてしまう可能性を抑制させた上で、
前記表示演出制御手段は、
前記複数図柄が前記特定の組み合わせとなって現れるとしたときのそれら複数図柄の配色が示唆されるようにリーチ演出を行う高期待演出手段、及び
前記高確遊技状態に制御されている期間中に前記特別抽選手段により前記第２抽選処理が行われたとき、前記大賞当たり遊技が行われないにもかかわらず前記高確遊技状態が終了してしまう可能性のあることが示唆される警告演出を行う状態終了警告手段、及び
前記大賞当たり遊技が行われることなく前記高確遊技状態から前記低確遊技状態に状態移行されたことが示唆される終了演出を行う状態終了演出手段を有し、
前記高確遊技状態に制御されている期間中、前記第１受入口よりも遊技球の受け入れ確率が低い第２受入口に遊技球が入球された結果、前記小賞当たりが当選されてしまったときは、前記状態終了演出手段による終了演出に先立って、前記高期待演出手段によるリーチ演出と前記状態終了警告手段による警告演出とを同時実行するとともに、該同時実行されるリーチ演出においては、前記小賞当たりに当選されているにもかかわらず、前記抽選処理にて落選されたことが示唆されるかたちで前記複数図柄を停止表示させるようにした
ことを特徴とする遊技機。
【請求項２】
前記抽選手段は、
前記第１の始動判断手段により前記第１の受入口への遊技球の入球があった旨判断されたときに乱数を取得し、この取得した乱数に基づいて大当たりについての第１抽選処理を実行するものである
請求項１に記載の遊技機。
【請求項３】
前記抽選手段は、
前記第２の始動判断手段により前記第２の受入口への遊技球の入球があった旨判断されたときに乱数を取得し、この取得した乱数に基づいて大当たりについての第２抽選処理を実行するものである
請求項１または２に記載の遊技機。
【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、
前記遊技領域に向けて打ち込まれた遊技球を受け入れ困難な閉状態と当該閉状態よりも遊技球を受け入れ容易な開状態との間で動作可能な開閉装置と、
前記遊技領域を流下する遊技球が受け入れられる第１受入口と、
前記第１受入口への遊技球の受け入れに基づいて受入情報を抽出する第１受入情報抽出手段と、
前記第１受入情報抽出手段によって抽出された受入情報を第１の上限値まで記憶する第１受入情報記憶手段と、
所定の始動条件が成立したとき、前記第１受入情報記憶手段によって記憶されている受入情報に基づき、第１の大賞当たりと第２の大賞当たりとを当選種別に含む大当たりについての第１抽選処理を所定の当選確率にて実行可能な抽選手段と、
前記第１の大賞当たり及び前記第２の大賞当たりのいずれかが当選されたとき、前記開閉装置の動作によって当該開閉装置内への遊技球の受け入れを容易化させることで遊技者に賞球を得る機会を提供する大賞当たり遊技を行う大賞遊技実行手段と、
前記第１の大賞当たりが当選されたときは、当該当たりに応じた前記大賞当たり遊技が行われた後、前記所定の当選確率が第１確率に設定される低確遊技状態に制御する一方で、前記第２の大賞当たりが当選されたときは、当該当たりに応じた前記大賞当たり遊技が行われた後、前記所定の当選確率が前記第１確率よりも高い第２確率に設定される高確遊技状態に制御する遊技状態制御手段と、
前記第１の大賞当たりと前記第２の大賞当たりとのいずれかが当選されたとき、所定の表示画面に表示される複数図柄が特定の組み合わせとなって現れる表示演出制御を行う表示演出制御手段と、を備え、
前記表示演出制御手段は、前記第１の大賞当たりが当選されたことを示唆するときと前記第２の大賞当たりが当選されたことを示唆するときとで、前記特定の組み合わせとなって前記所定の表示画面に現れる前記複数図柄の配色を異ならしめる遊技機において、
前記第１受入口の上方に配置されるとともに、前記遊技領域を流下する遊技球を常に受け入れ可能な開口部をもって設けられた第２受入口と、
前記第２受入口への遊技球の受け入れに基づいて受入情報を抽出する第２受入情報抽出手段と、
前記第２受入情報抽出手段によって抽出された受入情報を第２の上限値まで記憶する第２受入情報記憶手段と、を備え、
前記抽選手段は、
前記大賞当たり遊技が行われる契機となる当たりのほか、前記大賞当たり遊技が行われる契機とならない小賞当たりも当選種別に含む大当たりについての第２抽選処理を所定の当選確率にて実行する特別抽選手段を有するものでありながら、当該特別抽選手段による前記第２抽選処理については、前記所定の始動条件が成立したにもかかわらず前記第１受入情報記憶手段に受入情報が記憶されていないときにのみ、前記第２受入情報記憶手段に記憶されている受入情報をもとに実行するものであり、
前記遊技状態制御手段は、
前記第１の大賞当たりが当選されたことに応じて前記開閉装置内への遊技球の受け入れが容易となる態様で前記開閉装置が動作される前記大賞当たり遊技が行われた後だけでなく、前記小賞当たりが当選されたことに応じて前記開閉装置内への遊技球の受け入れが前記大賞当たりが当選されたときよりも困難な態様で前記開閉装置が動作した後も、前記所定の当選確率が第１確率に設定される前記低確遊技状態に制御するものであって、
当該遊技機は、
前記遊技領域を流下する遊技球が前記第１受入口に入球困難な閉状態と当該閉状態よりも遊技球が前記第１受入口に入球容易な開状態との間で動作可能な可動部材と、
前記低確遊技状態に制御されているときは、遊技球を常に受け入れ可能な開口部をもった前記第２受入口よりも前記第１受入口のほうが遊技球の入球確率が低くなるように前記可動部材の動作頻度にかかる設定制御を行うとともに、前記高確遊技状態に制御されているときは、遊技球を常に受け入れ可能な開口部をもった前記第２受入口よりも前記第１受入口のほうが遊技球の入球確率が高くなるように前記可動部材の動作頻度にかかる設定制御を行う可動制御手段と、をさらに備え、
前記高確遊技状態に制御されているときには、前記可動制御手段による前記可動部材の動作頻度にかかる設定制御態様と前記特別抽選手段による前記第２抽選処理の実行条件とが相まって、前記小賞当たりの当選によって前記大賞当たり遊技が行われることなく前記低確遊技状態に移行制御されてしまうことを遊技者側から回避可能となるようにしたものであって、
前記表示演出制御手段は、
前記複数図柄がリーチ状態となって現れるリーチ演出を行う高期待演出手段、及び
前記高確遊技状態に制御されている期間中に前記特別抽選手段により前記第２抽選処理が行われたとき、前記大賞当たり遊技が行われないにもかかわらず前記高確遊技状態が終了してしまう可能性のあることが示唆される警告演出を行う状態終了警告手段、及び
前記大賞当たり遊技が行われることなく前記高確遊技状態から前記低確遊技状態に状態移行されたことが示唆される終了演出を行う状態終了演出手段を有し、
前記高確遊技状態に制御されている期間中、遊技者側から回避可能でありながら前記特別抽選手段によって前記第２抽選処理が行われた結果、前記小賞当たりが当選されてしまったときは、前記状態終了演出手段による終了演出に先立って、前記状態終了警告手段による警告演出のほか、前記高期待演出手段によるリーチ演出を、前記複数図柄が前記特定の組み合わせとなって現れるとしたときのそれら複数図柄の配色が示唆されるように行うようにした
ことを特徴とする遊技機。
【請求項２】
前記第１の上限値は「４」である
請求項１に記載の遊技機。
【請求項３】
前記第２の上限値は「４」である
請求項１または２に記載の遊技機。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
内部電極および圧電材料層が積層された圧電素子および前記内部電極に接続された外部電極を有する圧電素子形成部材と、
前記圧電素子を駆動する駆動ＩＣおよび前記圧電素子に電気的に接続される接続配線を有する配線基板と、を具備した液体噴射ヘッドであって、
前記圧電素子の前記外部電極と前記配線基板の前記接続配線とが、異方性導電材からなる接続層を介して電気的に接続されていることを特徴とする液体噴射ヘッド。
【請求項２】
前記圧電素子形成部材は複数のスリットにより複数の前記圧電素子に分割され、
前記外部電極が、前記スリットと当該外部電極が形成されていない電極非形成部によって分離されており、前記接続配線の端部から前記電極形成部に至る領域まで前記接続層が設けられていることを特徴とする請求項１記載の液体噴射ヘッド。
【請求項３】
前記接続層が、互いに隣り合う前記外部電極の間に設けられていることを特徴とする請求項１又は２記載の液体噴射ヘッド。
【請求項４】
前記配線基板の端部が電気的に接続される端子部を有するヘッドケースをさらに具備し、
前記配線基板は、折り曲げられて前記端子部に電気的に接続されていると共に、前記駆動ＩＣが前記固定基板に相対向する領域に設けられ、
前記配線基板と前記圧電素子形成部材を保持する固定基板とが、前記駆動ＩＣに相対向する領域に設けられて当該駆動ＩＣと前記固定基板とを接着する第１紫外線硬化型接着剤と、前記駆動ＩＣの前記圧電素子の並設方向における第１紫外線硬化型接着剤の塗布領域の両側で且つ前記第１紫外線硬化型接着剤よりも前記端子部側に設けられた第２紫外線硬化型接着剤とを介して接着されていることを特徴とする請求項１〜３何れか一項に記載の液体噴射ヘッド。
【請求項５】
請求項１〜４何れか一項に記載の液体噴射ヘッドを具備することを特徴とする液体噴射装置。
【手続補正２】
【補正対象書類名】明細書
【補正対象項目名】００１０
【補正方法】変更
【補正の内容】
【００１０】
上記課題を解決する本発明の態様は、内部電極および圧電材料層が積層された圧電素子および前記内部電極に接続された外部電極を有する圧電素子形成部材と、前記圧電素子を駆動する駆動ＩＣおよび前記圧電素子に電気的に接続される接続配線を有する配線基板と、を具備した液体噴射ヘッドであって、前記圧電素子の前記外部電極と前記配線基板の前記接続配線とが、異方性導電材からなる接続層を介して電気的に接続されていることを特徴とする液体噴射ヘッドにある。
かかる態様では、圧電素子と配線基板とを接続層によって接合することで、接着面積を広げて接合強度を向上することができる。また、外部電極や接続配線に半田で接続する際に必要な金メッキ等が不要となり、コストを低減することができる。また、外部電極同士や接続配線同士で電流のリークが生じるのを確実に防止することができ信頼性を向上することができる。
【手続補正３】
【補正対象書類名】明細書
【補正対象項目名】００１１
【補正方法】変更
【補正の内容】
【００１１】
ここで、前記圧電素子形成部材は複数のスリットにより複数の前記圧電素子に分割され、前記外部電極が、前記スリットと当該外部電極が形成されていない電極非形成部によって分離されており、前記接続配線の端部から前記電極形成部に至る領域まで前記接続層が設けられていることが好ましい。これによれば、外部電極同士の短絡を防止して、接続配線の接着面積を広げることができる。
【手続補正４】
【補正対象書類名】明細書
【補正対象項目名】００１３
【補正方法】変更
【補正の内容】
【００１３】
また、前記配線基板の端部が電気的に接続される端子部を有するヘッドケースをさらに具備し、前記配線基板は、折り曲げられて前記端子部に電気的に接続されていると共に、前記駆動ＩＣが前記固定基板に相対向する領域に設けられ、前記配線基板と前記圧電素子形成部材を保持する固定基板とが、前記駆動ＩＣに相対向する領域に設けられて当該駆動ＩＣと前記固定基板とを接着する第１紫外線硬化型接着剤と、前記駆動ＩＣの前記圧電素子の並設方向における第１紫外線硬化型接着剤の塗布領域の両側で且つ前記第１紫外線硬化型接着剤よりも前記端子部側に設けられた第２紫外線硬化型接着剤とを介して接着されていることが好ましい。
これによれば、第１紫外線硬化型接着剤及び第２紫外線硬化型接着剤を設けることによって、配線基板の接続配線をヘッドケースに設けられた端子部に接続するために屈曲させても、配線基板の接続配線と圧電素子との接続部分に応力が印加されるのを防止して、この接続部分の強度が弱まったり、接続部分が剥がれてしまうという不具合が発生するのを防止することができる。また、第１紫外線硬化型接着剤及び第２紫外線硬化型接着剤を設けることによって、配線基板を屈曲させる際の折り曲げ性を向上して、配線基板の歪みを防止することができる。さらに、第１紫外線硬化型接着剤によって配線基板の駆動ＩＣと固定基板とを接着することで、駆動ＩＣの熱が第１紫外線硬化型接着剤を介して固定基板により放熱されるため、駆動ＩＣの熱による破壊等を防止することができる。また、第１紫外線硬化型接着剤及び第２紫外線硬化型接着剤を設けることによって、液体噴射ヘッドのハンドリング時などに配線基板に接触しても、配線基板の接続配線と圧電素子との接続部分及び接続配線とヘッドケースの端子部との接続部分に応力が印加されるのを防止して、これらの接続部分の強度が弱まったり、接続部分が剥がれてしまうという不具合が発生するのを防止することができる。
【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
印刷用紙に印刷を実行させるプリンタにおいて、
上記印刷用紙を搬送させると共に、上記印刷用紙の排紙および給紙を行わせるためのモータと、
上記モータの駆動力が伝達され、上記印刷用紙を排紙または搬送する用紙搬送手段と、
上記用紙搬送手段よりは上記印刷用紙の供給の上流側に配置され、上記モータの駆動力が伝達され、上記印刷用紙を順次給紙する給紙手段と、
上記モータと上記給紙手段との間に介在し、上記給紙手段への駆動力の伝達および非伝達を切り替えるクラッチ機構と、
上記印刷用紙の排紙から頭だしまでの間に停止状態を挟まずに上記モータを連続的に駆動させるための駆動情報を策定すると共に、この駆動情報に基づいて、上記モータを制御する制御手段と、
を具備することを特徴とするプリンタ。
【請求項２】
前記駆動情報は、
前記印刷用紙の排紙から給紙までの間に亘って存在し、所定の加速部、定速部および減速部を有する第１区間速度テーブルと、
前記第１区間速度テーブルよりも低い定速領域を有すると共に、前記給紙手段を駆動させるための給紙定速部と、
前記給紙定速部の終端から目標停止位置までの間に存在し、所定の加速部、定速部および減速部を有する第２区間速度テーブルと、
を有することを特徴とする請求項１記載のプリンタ。
【請求項３】
前記駆動情報には、定速部の速度の異なる２つ以上の前記第１区間速度テーブルと、定速部の速度の異なる２つ以上の前記第２区間速度テーブルが存在すると共に、
前記制御手段は、排紙の始まりから前記給紙定速部の始まりまでの実際の駆動距離と、
前記第１区間速度テーブルにおける定速部の駆動距離をゼロとした場合の第１最小駆動距離とを比較し、第１最小駆動距離が実際の駆動距離よりも小さいという条件を満たす場合には、その条件を満たす中で最も速度の大きな上記定速部のものに前記第１区間速度テーブルを設定し、
前記制御手段は、前記給紙定速部の終わりから前記目標停止位置までの実際の駆動距離と、前記第２区間速度テーブルにおける定速部の駆動距離をゼロとした場合の第２最小駆動距離とを比較し、第２最小駆動距離が実際の駆動距離よりも小さいという条件を満たす場合には、その条件を満たす中で最も速度の大きな上記定速部のものに前記第２区間速度テーブルを設定する、
ことを特徴とする請求項２記載のプリンタ。
【請求項４】
前記制御手段は、前記給紙定速部までの駆動距離に応じて前記第１区間速度テーブルの前記定速部の距離を調整すると共に、前記目標停止位置までの駆動距離に応じて前記第２区間速度テーブルの前記定速部の距離を調整することを特徴とする請求項３記載のプリンタ。
【請求項５】
前記給紙手段と前記用紙搬送手段との間には、前記印刷用紙を検出する用紙検出手段が設けられ、
この用紙検出手段で前記印刷用紙を検出した場合、前記制御手段は、前記第２区間速度テーブルを再び前記条件を満たすように再設定し、かつ前記目標停止位置までの駆動距離に応じて前記第２区間速度テーブルの前記定速部の駆動距離を再度調整する、
ことを特徴とする請求項４記載のプリンタ。
【請求項６】
前記クラッチ機構は、ソレノイドを有すると共に、このソレノイドのオン作動またはオフ作動により、前記モータの駆動力が前記給紙手段へ非伝達の状態から駆動力を伝達する状態に切り替えられ、
前記クラッチ機構は、
ラチェットギヤ部を有するギヤ部材と、
上記ラチェットギヤ部に対して接離し、当該ラチェットギヤ部と接触している状態では上記ギヤ部材と一体的に回転すると共に、上記ラチェットギヤ部から離間している状態では上記ギヤ部材に対して空転するクラッチ爪を備えると共に、係合突起を備える環状部材と、
上記係合突起に係合する係止爪を備えると共に、前記ソレノイドのオン作動またはオフ作動によって回動させられ、上記係合突起と上記係止爪との間の係合を解除可能なトリガレバーと、
を備え、
上記係合突起と上記係止爪が係合している状態では、上記クラッチ爪が上記ラチェットギヤ部から離間して上記ギヤ部材から上記環状部材に駆動力が伝達されずに駆動力の非伝達状態となり、上記係合突起と上記係止爪との係合が解除された状態では、上記クラッチ爪が上記ラチェットギヤ部と接触し、上記ギヤ部材から上記環状部材に駆動力が伝達される状態となる、
ことを特徴とする請求項１から５のいずれか１項に記載のプリンタ。
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
印刷装置にインクを供給するためのインクカートリッジであって、
前記印刷装置のインク流路に接続され前記印刷装置に前記インクを供給する接続部と、
前記インクを貯留するための貯留部と、
前記貯留部から前記接続部に前記インクを流通させるインク流路と、を備え、
前記インク流路を構成する構造は、前記インク流路の外周を形成する内面部であって、前記印刷装置に前記インクカートリッジが取り付けられた状態において上側に位置する部分に、凹部を有する、インクカートリッジ。
【請求項２】
請求項１記載のインクカートリッジであって、
前記凹部の少なくとも一部は、前記印刷装置に前記インクカートリッジが取り付けられた状態において、前記接続部の上に位置する場所に設けられる、インクカートリッジ。
【請求項３】
請求項１または２に記載のインクカートリッジであって、
前記インク流路を構成する前記構造は、前記凹部の一部を構成する傾斜部であって、前記インク流路内において前記貯留部から前記接続部に向かうインクの流れの方向に沿って下流になるほど前記凹部の深さが深くなるように設けられる傾斜部を有する、インクカートリッジ。
【請求項４】
請求項１ないし３のいずれかに記載のインクカートリッジであって、
前記インク流路を構成する構造は、前記内面部に、前記貯留部から前記接続部に向かう方向に伸びる溝部を有する、インクカートリッジ。
【請求項５】
請求項１ないし３のいずれかに記載のインクカートリッジであって、
前記接続部の内面は円形に構成されており、
前記インク流路は、前記接続部側の端部近傍において略円形の断面を有し内壁に溝部を有する、インクカートリッジ。
【請求項６】
請求項１ないし５のいずれかに記載のインクカートリッジを交換可能に取り付けることができるカートリッジ取り付け部と、
前記インクカートリッジからインクを供給されてインクを吐出するノズルを備える印刷ヘッドと、を有する印刷装置。
【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
圧力室内の液体に圧力変動を生じさせる圧電振動子と、
前記圧力室を有する圧力室プレートと、
前記圧力室に接続された供給側連通口および前記圧力室に接続された開口部を有する連通口プレートと、
前記供給側連通口に接続されたインク供給孔および前記開口部に接続された供給口プレート用開口部を有する供給孔プレートと、
前記インク供給孔に接続されたリザーバを有するリザーバプレートと、を備えた液体噴射ヘッドであって、
前記連通口プレートと前記供給孔プレートは、第１のフィルム接着材によって接着され、
前記第１のフィルム接着材には、前記供給口プレート用開口部の位置に応じて複数の円形の孔が形成されており、
前記第１のフィルム接着材に形成された前記複数の円形の孔の大きさが、同じであることを特徴とする液体噴射ヘッド。
【請求項２】
前記リザーバプレートは、前記供給口プレート用開口部に接続されたリザーバプレート用開口部をさらに備え、
前記供給孔プレートと前記リザーバプレートは、第２のフィルム接着剤によって接着され、
前記第２のフィルム接着剤には、前記リザーバプレート用開口部の位置に応じて複数の円形の孔が形成されており、
前記第２のフィルム接着材に形成された前記複数の円形の孔の大きさが、同じであることを特徴とする請求項１に記載の液体噴射ヘッド。
【請求項３】
請求項１又は２に記載の液体噴射ヘッドを備えたことを特徴とする液体噴射装置。
【手続補正２】
【補正対象書類名】明細書
【補正対象項目名】発明の名称
【補正方法】変更
【補正の内容】
【発明の名称】液体噴射ヘッドおよび液体噴射装置
【手続補正書】
【提出日】平成22年2月2日(2010.2.2)
【手続補正１】
【補正対象書類名】特許請求の範囲
【補正対象項目名】請求項１４
【補正方法】変更
【補正の内容】
【請求項１４】
前記吐出ヘッドは、複数のヘッドブロックが前記主走査方向に沿って並べられた構造を有するとともに、前記ヘッドブロックのそれぞれに前記内部圧力可変手段を具備し、
前記内部圧力制御手段は、前記液体貯留部材が直下に位置するヘッドブロックから液体を供給するように、各ヘッドブロックの内部圧力可変手段を制御することを特徴とする請求項１０に記載の液体吐出装置。
【手続補正２】
【補正対象書類名】明細書
【補正対象項目名】０１１１
【補正方法】変更
【補正の内容】
【０１１１】
また、ヘッド５０内のインク（圧力室５２内）に気泡が混入した場合、圧電素子５８が動作してもノズルからインクを吐出させることができなくなる。このような場合にはヘッド５０にキャップ６４を当て、吸引ポンプ６５で圧力室５２内のインク（気泡が混入したインク）を吸引により除去し、吸引除去したインクを回収タンク６８へ送液する。
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
遊技盤の遊技領域に打ち込まれた遊技球が入球可能な始動入賞口と、
該始動入賞口の近傍に配設され、かつ、前記遊技盤の遊技領域に打ち込まれた遊技球を磁石によって当該始動入賞口に誘導して入球させる不正行為を検出する磁気検出スイッチと、
前記遊技盤のほぼ中央に取り付けられる演出ユニットと、
前記始動入賞口に遊技球が入球したことに基づいて遊技の進行を制御し、かつ、該遊技の進行を設定するコマンドを従属する制御基板に出力する主制御基板と、
該主制御基板からのコマンドに基づいて前記演出ユニットを制御する副制御基板と、
を備えるパチンコ遊技機であって、
前記演出ユニットは、少なくとも、
円形環状の円盤の片側側面にリングギアが形成されるギアベースに円形環状のリールベースが取り付けられ、かつ、該円盤の外周近傍にマグネットが埋め込まれるギアモジュールと、
該ギアモジュールを回転可能に前記円盤の外周を支持する複数のガイドローラと、
該複数のガイドローラをそれぞれ軸支するローラピンと、
駆動ギアが出力軸に取り付けられる駆動モータと、
該駆動モータの出力軸に取り付けられる前記駆動ギアの回転を前記円盤の片側側面に形成される前記リングギアに伝達するギア機構と、
前記円盤の外周近傍に埋め込まれる前記マグネットの磁気を検出するホール素子が実装されるセンサ基板と、
を備え、前記ギアモジュールが前記複数のガイドローラに支持されて回転すると、前記円盤の外周近傍に埋め込まれる前記マグネットの軌道が前記始動入賞口の後方を通り、
前記主制御基板は、少なくとも、
前記磁気検出スイッチからの検出信号に基づいて前記不正行為の有無を判定する不正行為判定制御手段と、
遊技者にとって有利な遊技状態が発生している場合であって、前記不正行為判定制御手段が前記磁気検出スイッチからの検出信号に基づいて前記不正行為が行われていると判定すると、該判定結果を無効に設定する判定結果無効設定制御手段と、
を備え、
前記副制御基板は、少なくとも、
前記複数のガイドローラに支持されて前記ギアモジュールを回転させるコマンドを前記主制御基板から受信すると、前記駆動モータに駆動信号を出力する駆動信号出力制御手段と、
前記センサ基板に実装される前記ホール素子からの検出信号に基づいて前記ギアモジュールの原位置を把握する原位置把握制御手段と、
を備えることを特徴とするパチンコ遊技機。
【請求項２】
請求項１に記載のパチンコ遊技機であって、
前記始動入賞口は、ソレノイドの伸縮運動が一対の開閉翼の開閉運動に変換されることによって該開閉翼が開いた状態では遊技盤の遊技領域に打ち込まれた遊技球が入球可能となる一方、該開閉翼が閉じた状態では前記遊技盤の遊技領域に打ち込まれた遊技球が入球困難となり、
前記主制御基板は、さらに、
前記ソレノイドに駆動信号を出力して前記開閉翼を開閉動作させる開閉動作制御手段と、
該開閉動作制御手段が前記開閉翼を開閉動作させている際に、当該開閉翼を閉じた状態から開いた状態にそして再び閉じた状態にするまでに亘って前記始動入賞口に入球した遊技球の球数を計数する入球数計数制御手段と、
該入球数計数制御手段で計数した遊技球の球数が前記予め定めた判定値を超えていないときには該入球数が正常であると判定する一方、該入球数計数制御手段で計数した遊技球の球数が前記予め定めた判定値を超えているときには該入球数が異常であると判定する入球数判定制御手段と、
を備えていることを特徴とするパチンコ遊技機。
【手続補正２】
【補正対象書類名】明細書
【補正対象項目名】００１８
【補正方法】変更
【補正の内容】
【００１８】
本発明の請求項１においては、粉じんを受ける環境下にあっても、ギアモジュールの原位置を把握することができるとともに磁石による不正行為であるか否かを判別することができる。請求項２においては、入球数が判定値を超えていない場合には不正行為が行われていないと判定することができる一方、入球数が判定値を超えている場合には不正行為が行われていると判定することができる。
【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
異なるタイミングの放射線撮影によって得られた２つの画像から造影剤により形成された像の濃度分布を検出する検出手段と、
前記２つの画像の前記検出手段で検出された前記濃度分布の移動量と、当該２つの画像の撮影時間の間隔とに基づいて、造影剤により形成された像の移動速度を算出する予測手段と、
前記予測手段によって算出された移動速度と、前記検出手段によって検出された前記濃度分布とに基づいて、次の放射線撮影のタイミングを決定する決定手段とを備えることを特徴とする放射線撮影装置。
【請求項２】
前記予測手段は、前記２つの画像における、前記検出手段で検出された前記濃度分布で最も濃度の高い位置の移動量を、前記濃度分布の移動量とすることを特徴とする請求項１に記載の放射線撮影装置。
【請求項３】
前記決定手段は、
前記予測手段によって算出された移動速度で前記検出手段によって検出された前記濃度分布を移動させた場合に、移動前後の濃度分布における所定の造影剤濃度を有する部分が連結するタイミングを次の放射線撮影のタイミングに決定することを特徴とする請求項１または２に記載の放射線撮影装置。
【請求項４】
前記決定手段は、
前記予測手段によって算出された移動速度で前記検出手段によって検出された前記濃度分布を移動させた場合に、移動前後の２つの濃度分布が重なる部分において濃度分布の和が常に所定の造影剤濃度以上となるように、当該次の放射線撮影のタイミングを決定することを特徴とする請求項１または２に記載の放射線撮影装置。
【請求項５】
放射線撮影装置の制御方法であって、
検出手段が、異なるタイミングの放射線撮影によって得られた２つの画像から造影剤により形成された像の濃度分布を検出する検出工程と、
予測手段が、前記２つの画像の前記検出工程で検出された前記濃度分布の移動量と、当該２つの画像の撮影時間の間隔とに基づいて、造影剤により形成された像の移動速度を算出する予測工程と、
決定手段が、前記予測工程によって算出された移動速度と、前記検出工程によって検出された前記濃度分布とに基づいて、次の放射線撮影のタイミングを決定する決定工程とを備えることを特徴とする放射線撮影装置の制御方法。
【請求項６】
前記予測工程では、前記２つの画像における、前記検出工程で検出された前記濃度分布で最も濃度の高い位置の移動量を、前記濃度分布の移動量とすることを特徴とする請求項５に記載の放射線撮影装置の制御方法。
【請求項７】
前記決定工程では、
前記予測工程によって算出された移動速度で前記検出工程によって検出された前記濃度分布を移動させた場合に、移動前後の濃度分布における所定の造影剤濃度を有する部分が連結するタイミングを次の放射線撮影のタイミングに決定することを特徴とする請求項５または６に記載の放射線撮影装置の制御方法。
【請求項８】
前記決定工程では、
前記予測工程によって算出された移動速度で前記検出工程によって検出された前記濃度分布を移動させた場合に、移動前後の２つの濃度分布が重なる部分において濃度分布の和が常に所定の造影剤濃度以上となるように、当該次の放射線撮影のタイミングを決定することを特徴とする請求項５または６に記載の放射線撮影装置の制御方法。
【請求項９】
コンピュータに、請求項５乃至８のいずれか１項に記載の放射線撮影装置の制御方法の各工程を実行させるためのコンピュータプログラム。
【請求項１０】
請求項９に記載されたコンピュータプログラムを格納したことを特徴とするコンピュータ読み取り可能な記憶媒体。
【手続補正２】
【補正対象書類名】明細書
【補正対象項目名】００１１
【補正方法】変更
【補正の内容】
【００１１】
上記の目的を達成するための本発明による放射線撮影装置は以下の構成を備える。すなわち、
異なるタイミングの放射線撮影によって得られた２つの画像から造影剤により形成された像の濃度分布を検出する検出手段と、
前記２つの画像の前記検出手段で検出された前記濃度分布の移動量と、当該２つの画像の撮影時間の間隔とに基づいて、造影剤により形成された像の移動速度を算出する予測手段と、
前記予測手段によって算出された移動速度と、前記検出手段によって検出された前記濃度分布とに基づいて、次の放射線撮影のタイミングを決定する決定手段とを備える。
【手続補正３】
【補正対象書類名】明細書
【補正対象項目名】００１２
【補正方法】変更
【補正の内容】
【００１２】
上記の目的を達成するための本発明による放射線撮影装置の制御方法は、
放射線撮影装置の制御方法であって、
検出手段が、異なるタイミングの放射線撮影によって得られた２つの画像から造影剤により形成された像の濃度分布を検出する検出工程と、
予測手段が、前記２つの画像の前記検出工程で検出された前記濃度分布の移動量と、当該２つの画像の撮影時間の間隔とに基づいて、造影剤により形成された像の移動速度を算出する予測工程と、
決定手段が、前記予測工程によって算出された移動速度と、前記検出工程によって検出された前記濃度分布とに基づいて、次の放射線撮影のタイミングを決定する決定工程とを備える。